(57)【要約】【課題】実店舗において販売される衣料品の潜在的な販売可能性などを予測するための情報を効率的に収集すること。【解決手段】試着室に設置された情報収集装置１００は、バーコードリーダ１００ａとタッチパネル式のディスプレイ１００ｂを備え、試着室の壁面に配置されたＣＣＤカメラ１０１ａ〜１０１ｄ、およびレジなどに設置されたＰＣ１０２と接続されている。試着室へ商品を持ち込んだ顧客が、商品に添付されているバーコードをバーコードリーダ１００ａに読み取らせ、商品を身に付けた上で撮影を指示すると、ＣＣＤカメラ１０１ａ〜１０１ｄで撮影された各画像が１枚の全身画像に合成されて、バーコードから読み取られた商品データとともにディスプレイ１００ｂ上に表示される。一方、どの商品が試着されたかはＰＣ１０２に随時通知され、各商品の販売可能性を予測する基礎情報として利用される。【選択図】        図１
2005189918.tif 000002
【特許請求の範囲】
【請求項１】
商品に添付された商品データを読み取る商品データ読み取り工程と、
前記商品データ読み取り工程で読み取られた商品データをネットワークにより接続され
た他の情報処理装置などに送信する商品データ送信工程と、
前記商品を身に付けたユーザーにつき撮影された複数の画像データを合成することで前
記ユーザーの全身の画像データを生成する画像データ生成工程と、
前記画像データ生成工程で生成された画像データを表示する画像データ表示工程と、
を含むことを特徴とする情報収集方法。
【請求項２】
前記画像データ表示工程では、前記画像データ生成工程で生成された複数の画像データ
を対比して表示することを特徴とする前記請求項１に記載の情報収集方法。
【請求項３】
さらに、前記画像データ表示工程で表示された画像データを他の情報処理装置などに送
信する画像データ送信工程を含むことを特徴とする前記請求項１または請求項２に記載の
情報収集方法。
【請求項４】
前記商品データは、商品に添付されたバーコードまたはＩＣタグに記録されていること
を特徴とする前記請求項１〜請求項３のいずれか一つに記載の情報収集方法。
【請求項５】
前記請求項１〜請求項４のいずれか一つに記載された方法をコンピュータに実行させる
情報収集プログラム。
【請求項６】
商品に添付された商品データを読み取る商品データ読み取り手段と、
前記商品データ読み取り手段により読み取られた商品データをネットワークにより接続
された他の情報処理装置などに送信する商品データ送信手段と、
前記商品を身に付けたユーザーにつき撮影された複数の画像データを合成することで前
記ユーザーの全身の画像データを生成する画像データ生成手段と、
前記画像データ生成手段により生成された画像データを表示する画像データ表示手段と
、
を備えることを特徴とする情報収集装置。
【請求項７】
前記画像データ表示手段は、前記画像データ生成手段により生成された複数の画像デー
タを対比して表示することを特徴とする前記請求項６に記載の情報収集装置。
【請求項８】
さらに、前記画像データ表示手段により表示された画像データを他の情報処理装置など
に送信する画像データ送信手段を含むことを特徴とする前記請求項６または請求項７に記
載の情報収集装置。
【請求項９】
前記商品データは、商品に添付されたバーコードまたはＩＣタグに記録されていること
を特徴とする前記請求項６〜請求項８のいずれか一つに記載の情報収集装置。
【発明の詳細な説明】
【技術分野】
【０００１】
この発明は、商品の潜在的な販売可能性などを予測するための各種情報を収集する情報
収集方法、情報収集プログラムおよび情報収集装置に関する。
【背景技術】
【０００２】
商品を販売する店舗にとって、売れる商品と売れない商品とを正確に予測できるかどう
かは死活問題である。そこで各店はこぞってＰＯＳシステムを導入し、直近の販売実績を
分析することで売れ筋商品と死に筋商品とを見極め、何をどれだけ仕入れるかなどの判断
に役立てていた。
【特許文献１】特開平８−２２５７６号公報
【発明の開示】
【発明が解決しようとする課題】
【０００３】
しかしながら従来のシステムで分かるのは、厳密には「どんな商品が売れた／売れてい
るか」であり、「どんな商品が売れそうか」ではない。ある商品の未来における売り上げ
が、過去や現在のそれと同じかそれ以上であるという前提は必ずしも成り立たないため、
従来技術では潜在的な販売可能性の大きい商品を特定できない場合があった。たとえば度
々試着はされていながら、流行前夜でまださほど売れてはいないような衣料品があったと
しても、従来はそうした商品が存在する事実さえ認識することができなかった。
【０００４】
この発明は、上述した従来技術による問題点を解消するため、商品、特に試着室を備え
る店舗において販売される衣料品の潜在的な販売可能性などを予測するための情報を効率
的に収集することが可能な情報収集方法、情報収集プログラムおよび情報収集装置を提供
することを目的とする。
【課題を解決するための手段】
【０００５】
上述した課題を解決し、目的を達成するため、請求項１の発明にかかる情報収集方法は
、商品に添付された商品データを読み取る商品データ読み取り工程と、前記商品データ読
み取り工程で読み取られた商品データをネットワークにより接続された他の情報処理装置
などに送信する商品データ送信工程と、前記商品を身に付けたユーザーにつき撮影された
複数の画像データを合成することで前記ユーザーの全身の画像データを生成する画像デー
タ生成工程と、前記画像データ生成工程で生成された画像データを表示する画像データ表
示工程と、を含むことを特徴とする。
【０００６】
この請求項１の発明によれば、試着室での写真撮影サービスを利用するユーザーから、
どの商品がよく試着されているかなどの情報を効率的に収集することができる。
【０００７】
また、請求項２の発明にかかる情報収集方法は、前記請求項１に記載の発明において、
前記画像データ表示工程では、前記画像データ生成工程で生成された複数の画像データを
対比して表示することを特徴とする。
【０００８】
この請求項２の発明によれば、複数の商品を試着した場合、ユーザーはそれぞれの商品
を試着したときの姿を並べて画面表示させることができる。
【０００９】
また、請求項３の発明にかかる情報収集方法は、前記請求項１または請求項２に記載の
発明において、さらに、前記画像データ表示工程で表示された画像データを他の情報処理
装置などに送信する画像データ送信工程を含むことを特徴とする。
【００１０】
この請求項３の発明によれば、ユーザーは試着時の自分の姿を他の端末に転送しておく
ことで、その商品を買うべきか否かを後日検討したり、友人・家族などに相談したりする
ことができる。
【００１１】
また、請求項４に記載の発明にかかる情報収集方法は、前記請求項１〜請求項３のいず
れか一つに記載の発明において、前記商品データが、商品に添付されたバーコードまたは
ＩＣタグに記録されていることを特徴とする。
【００１２】
この請求項４の発明によれば、商品データは商品に添付のバーコードあるいはＩＣタグ
から読み取られる。
【００１３】
また、請求項５の発明にかかる情報収集プログラムは、前記請求項１〜請求項４のいず
れか一つに記載された方法をコンピュータに実行させることを特徴とする。
【００１４】
この請求項５の発明によれば、コンピュータを用いて前記請求項１〜請求項４のいずれ
か一つに記載された方法を実行できるようになる。
【００１５】
また、請求項６の発明にかかる情報収集装置は、商品に添付された商品データを読み取
る商品データ読み取り手段と、前記商品データ読み取り手段により読み取られた商品デー
タをネットワークにより接続された他の情報処理装置などに送信する商品データ送信手段
と、前記商品を身に付けたユーザーにつき撮影された複数の画像データを合成することで
前記ユーザーの全身の画像データを生成する画像データ生成手段と、前記画像データ生成
手段により生成された画像データを表示する画像データ表示手段と、を備えることを特徴
とする。
【００１６】
この請求項６の発明によれば、試着室での写真撮影サービスを利用するユーザーから、
どの商品がよく試着されているかなどの情報を効率的に収集することができる。
【００１７】
また、請求項７の発明にかかる情報収集装置は、前記請求項６に記載の発明において、
前記画像データ表示手段が、前記画像データ生成手段により生成された複数の画像データ
を対比して表示することを特徴とする。
【００１８】
この請求項７の発明によれば、複数の商品を試着した場合、ユーザーはそれぞれの商品
を試着したときの姿を並べて画面表示させることができる。
【００１９】
また、請求項８の発明にかかる情報収集装置は、前記請求項６または請求項７に記載の
発明において、さらに、前記画像データ表示手段により表示された画像データを他の情報
処理装置などに送信する画像データ送信手段を含むことを特徴とする。
【００２０】
この請求項８の発明によれば、ユーザーは試着時の自分の姿を他の端末に転送しておく
ことで、その商品を買うべきか否かを後日検討したり、友人・家族などに相談したりする
ことができる。
【００２１】
また、請求項９の発明にかかる情報収集装置は、前記請求項６〜請求項８のいずれか一
つに記載の発明において、前記商品データが、商品に添付されたバーコードまたはＩＣタ
グに記録されていることを特徴とする。
【００２２】
この請求項９の発明によれば、商品データは商品に添付のバーコードあるいはＩＣタグ
から読み取られる。
【発明の効果】
【００２３】
本発明にかかる情報収集方法、情報収集プログラムおよび情報収集装置によれば、商品
、特に試着室を備える店舗において販売される衣料品の潜在的な販売可能性などを予測す
るための情報を効率的に収集することが可能な情報収集方法、情報収集プログラムおよび
情報収集装置が得られるという効果を奏する。
【発明を実施するための最良の形態】
【００２４】
以下に添付図面を参照して、この発明にかかる情報収集方法、情報収集プログラムおよ
び情報収集装置の好適な実施の形態を詳細に説明する。
【００２５】
図１は、この発明の実施の形態にかかる情報収集装置を含む、情報収集システムの概観
図を示す説明図である。
【００２６】
図中、１００が本発明にかかる情報収集装置である。情報収集装置１００は従来型の試
着室に設置され、商品に添付されたバーコードを光学的に読み取るためのバーコードリー
ダ１００ａ、および操作ガイドや撮影画像などを表示するタッチパネル式のディスプレイ
１００ｂを備えている。また、１０１ａ〜１０１ｄは試着室の壁面に設置されたＣＣＤカ
メラであり、図示しないケーブルにより情報収集装置１００と接続されている。
【００２７】
また、１０２は一般的なＰＣ（パーソナル・コンピュータ）であり、店舗内のレジなど
に設置されている。情報収集装置１００とＰＣ１０２とはＬＡＮにより接続され、このＬ
ＡＮはさらにインターネットに接続されているものとする。なお、インターネット上には
多数のＰＯＰサーバ１０３やＦＴＰサーバ１０４が存在する。
【００２８】
試着室の情報収集装置１００は、そのバーコードリーダ１００ａに商品添付のバーコー
ドを読み取らせることで操作可能になる。そして顧客が、ディスプレイ１００ｂ上の操作
ガイドにしたがって全身像の撮影を指示すると、その指示から数秒後にＣＣＤカメラ１０
１ａ〜１０１ｄが作動して、試着室内の顧客を撮影する。
【００２９】
一般的な試着室では、カメラが１台のみであると焦点距離が近すぎて、全身像を撮影す
ることができない。そこでここでは１０１ａ〜１０１ｄの４台のカメラを設置し、各カメ
ラにより撮影された４枚の画像を情報収集装置１００で合成して、１枚の全身画像を作成
する。したがってカメラの個数は、試着室のサイズなどに依存する。なお、以下に説明す
る実施の形態では一方向からの撮影のみを考えるが、正面に加えて背面や側面など、複数
の方向から同時に撮影を行うようにしてもよい。
【００３０】
合成後の全身画像は、情報収集装置１００のディスプレイ１００ｂに表示させたり、任
意のメールアドレスへ送信（すなわちＰＯＰサーバ１０３へ送信）させたり、あるいはＷ
ｅｂサーバにアップロード（すなわちＦＴＰサーバ１０４へ送信）させたりすることがで
きる。
【００３１】
従来は、気に入った商品がいくつもある場合、たとえば商品Ａを試着したときの自分の
姿と商品Ｂを試着したときの自分の姿とを簡単に比較することができない（一部記憶に頼
ることになる）ので、選択に迷った場合は先に着た服を再度着てみるなど、試着に手間や
時間がかかっていた。しかしながら本発明では、商品Ａを試着したときの姿と商品Ｂを試
着したときの姿とを画面上で同時に見比べられるので、顧客は自分で納得のいく試着をす
ることができる。また、自己完結型で店員とかかわる必要がないので、安心して試着をす
ることができる。
【００３２】
また、試着時の自分の姿を電子メールやホームページで友人・家族などに見せることが
できるので、一人で来店したときや別の用で近くに来たときの「ついで」撮影が増える。
いわゆる「プリクラ」での記念撮影と同様の感覚・動機で来店したり、試着室を利用した
りする顧客も増えることが予想される。しかも店舗内の商品は随時入れ替わるので、顧客
を飽きさせることがない。このように本発明によれば、顧客に来店のインセンティブを与
えるとともに、試着室の稼働率も向上させることができる。
【００３３】
また、試着室の情報収集装置１００で商品のバーコードが読み取られた時点で、そこに
記録された商品データ（価格や品番などの文字列データ）がＬＡＮを介してＰＣ１０２に
送信されるので、店舗側では各商品の試着回数や試着される商品の傾向（形や色など）を
分析することで、購入に至る前の潜在的な需要を把握できる。そして、これをもとに商品
の仕入れやディスプレイを工夫することで、売り上げ向上につなげることができる。
【００３４】
次に、図２はこの発明の実施の形態にかかる情報収集装置１００のハードウエア構成を
示す説明図である。なお、バーコードリーダ１００ａおよびディスプレイ１００ｂは図１
の概観図に示したものと同一である。
【００３５】
図中、２０１は装置全体を制御するＣＰＵを、２０２は後述する各種処理を実行するた
めの情報収集プログラムを記憶したＲＯＭを、２０３はＣＰＵ２０１のワークエリアとし
て使用されるＲＡＭを、それぞれ示している。
【００３６】
また、２０４はＣＣＤカメラ１０１ａ〜１０１ｄに接続され、各カメラに撮影を指示す
るとともに、各カメラで取り込まれた画像データを受信してＣＰＵ２０１に引き渡す周辺
機器Ｉ／Ｆ（インターフェース）を、２０５はＬＡＮを介してインターネットに接続され
、ＣＰＵ２０１から引き渡された商品データや画像データを指定された宛先に送信するネ
ットワークＩ／Ｆ（インターフェース）を、２００は上記各部を接続するバスを、それぞ
れ示している。
【００３７】
次に、図３はこの発明の実施の形態にかかる情報収集装置１００の機能構成を示す説明
図である。
【００３８】
３００はユーザーＩ／Ｆ（インターフェース）部であり、ディスプレイ１００ｂに操作
ガイドなどを表示するとともに、ユーザーである顧客からの入力に応じて、以下で説明す
る各機能部へ処理を振り分ける機能部である。このユーザーＩ／Ｆ部３００は、具体的に
はＲＯＭ２０２内の情報収集プログラムを読み出して実行するＣＰＵ２０１と、ＣＰＵ２
０１から制御されるディスプレイ１００ｂにより実現される。
【００３９】
３０１は商品データ読み取り部であり、商品に添付されたバーコードを光学的に読み取
るとともに、そこに記録された商品データをＰＣ１０２および後述するデータ記憶部３０
４に出力する機能部である。この商品データ読み取り部３０１は、具体的にはＲＯＭ２０
２内の情報収集プログラムを読み出して実行するＣＰＵ２０１と、ＣＰＵ２０１から制御
されるバーコードリーダ１００ａおよびネットワークＩ／Ｆ２０５により実現される。
【００４０】
３０２は撮影制御部であり、本装置に接続されたＣＣＤカメラ１０１ａ〜１０１ｄを制
御して、試着室内の顧客を撮影させるとともに、撮影された画像データを受信する機能部
である。この撮影制御部３０２は、具体的にはＲＯＭ２０２内の情報収集プログラムを読
み出して実行するＣＰＵ２０１と、ＣＰＵ２０１から制御される周辺機器Ｉ／Ｆ２０４に
より実現される。
【００４１】
３０３は画像合成部であり、ＣＣＤカメラ１０１ａ〜１０１ｄにより撮影された複数の
画像データを合成して、顧客の全身が写った単一の画像データ（全身画像）を作成すると
ともに、ユーザーＩ／Ｆ部３００に指示して合成後の画像データをディスプレイ１００ｂ
に表示させる機能部である。なお、このとき画像合成部３０３は、商品データ読み取り部
３０１で読み取られたバーコード内の商品データ（たとえばそのうちの価格）を合成後の
画像データに挿入する。画像合成部３０３による画像データの合成の様子を図４に模式的
に示す。この画像合成部３０３は具体的には、ＲＯＭ２０２内の情報収集プログラムを読
み出して実行するＣＰＵ２０１により実現される。
【００４２】
３０４はデータ記憶部であり、撮影制御部３０２により受信された画像データや画像合
成部３０３により合成された画像データ、あるいは商品データ読み取り部３０１により読
み取られた商品データなどを保存する機能部である。データ記憶部３０４は、具体的には
ＲＡＭ２０３により実現される。
【００４３】
３０５はインターネット接続部であり、データ記憶部３０４に保存された画像データを
特定のメールアドレスやＵＲＬで特定されるサーバに送信する機能部である。このインタ
ーネット接続部３０５は、具体的にはＲＯＭ２０２内の情報収集プログラムを読み出して
実行するＣＰＵ２０１と、ＣＰＵ２０１から制御されるネットワークＩ／Ｆ２０５により
実現される。
【００４４】
次に、図５はこの発明の実施の形態にかかる情報収集装置１００における、情報収集処
理の手順を示すフローチャートである。
【００４５】
ユーザーＩ／Ｆ部３００が表示する操作ガイド（「試着する商品のバーコードを入力し
てください」など）にしたがって、顧客の提示したバーコードを商品データ読み取り部３
０１が読み取ると（ステップＳ５０１：Ｙｅｓ）、当該バーコードで表現される商品デー
タがＰＣ１０２に送出されるとともに（ステップＳ５０２）、データ記憶部３０４に保存
される（ステップＳ５０３）。
【００４６】
また、これを受けたユーザーＩ／Ｆ部３００が、ディスプレイ１００ｂに「準備ができ
たら「撮影」ボタンをタッチしてください。タッチから５秒後に撮影します」などの操作
ガイドを表示する。そして、顧客が画面上の上記ボタンをタッチすると（ステップＳ５０
４：Ｙｅｓ）、ユーザーＩ／Ｆ部３００からの指示を受けた撮影制御部３０２が、所定時
間（上記の例では５秒）経過後にＣＣＤカメラ１０１ａ〜１０１ｄへ撮影指示を送信する
とともに（ステップＳ５０５）、各カメラから撮影された画像データを受信する（ステッ
プＳ５０６）。
【００４７】
次に画像合成部３０３が、いったんデータ記憶部３０４に保存された上記各データを合
成し（ステップＳ５０７）、この合成後の画像データを再度データ記憶部３０４に保存す
るとともに、ユーザーＩ／Ｆ部３００によりディスプレイ１００ｂに表示させる（ステッ
プＳ５０８）。図６は、合成後の画像データの表示の一例を示す説明図である。図中、顧
客の全身画像の右横には「メール」ボタン６００、「アップロード」ボタン６０１、「続
けて試着」ボタン６０２、「比較」ボタン６０３、「終了」ボタン６０４の５つのボタン
が表示されるものとする。
【００４８】
そして、図中「メール」ボタン６００がタッチされた場合（ステップＳ５０９：Ｙｅｓ
）、ユーザーＩ／Ｆ部３００はさらにソフトウェアキーボードなどを表示して、送信先の
メールアドレスや本文を顧客に入力させた後（ステップＳ５１０）、表示中の画像データ
をデータ記憶部３０４から読み出して、インターネット上のＰＯＰサーバ１０３へ電子メ
ールとして送信する（ステップＳ５１１）。
【００４９】
また、図６の画面で「アップロード」ボタン６０１がタッチされた場合（ステップＳ５
０９：Ｎｏ、ステップＳ５１２：Ｙｅｓ）、ユーザーＩ／Ｆ部３００はさらにソフトウェ
アキーボードなどを表示して、アップロード先のＵＲＬを顧客に入力させた後（ステップ
Ｓ５１３）、表示中の画像データをデータ記憶部３０４から読み出して、インターネット
上のＦＴＰサーバ１０４へ送信する（ステップＳ５１４）。なお、このアップロード先は
固定的であってもよい。すなわち、本装置の納入元があらかじめＷｅｂサーバを開設して
おき、店舗で撮影された画像は一律にこのサーバにアップロードされるものとする。
【００５０】
また、図６の画面で「続けて試着」ボタン６０２がタッチされた場合（ステップＳ５０
９：Ｎｏ、ステップＳ５１２：Ｎｏ、ステップＳ５１５：Ｙｅｓ）、そのままステップＳ
５０１へ移行して、続けて試着する商品のバーコード入力待ちとなる（ステップＳ５０１
）。
【００５１】
また、図６の画面で「比較」ボタン６０３がタッチされた場合（ステップＳ５０９：Ｎ
ｏ、ステップＳ５１２：Ｎｏ、ステップＳ５１５：Ｎｏ、ステップＳ５１６：Ｙｅｓ）、
ユーザーＩ／Ｆ部３００はデータ記憶部３０４内にある、合成後の画像データをすべて読
み出して（ステップＳ５１７）、ディスプレイ１００ｂに表示する（ステップＳ５１８）
。「比較」ボタン６０３をタッチしたのが２回目の試着時であったとすると、その時点で
データ記憶部３０４内には２枚の全身画像が保存されているので、このときの画面は図７
に示すようになる。すなわち、それぞれの試着時の画像が対比して画面表示される。
【００５２】
また、図６の画面で「終了」ボタン６０４がタッチされた場合（ステップＳ５０９：Ｎ
ｏ、ステップＳ５１２：Ｎｏ、ステップＳ５１５：Ｎｏ、ステップＳ５１６：Ｎｏ、ステ
ップＳ５１９：Ｙｅｓ）、ユーザーＩ／Ｆ部３００はデータ記憶部３０４に指示して、そ
こに保持された商品データや画像データを消去させた後（ステップＳ５２０）、本フロー
チャートによる処理を終了する。なお、ボタン６００〜６０４のいずれかがタッチされな
い限りは（ステップＳ５０９：Ｎｏ、ステップＳ５１２：Ｎｏ、ステップＳ５１５：Ｎｏ
、ステップＳ５１６：Ｎｏ、ステップＳ５１９：Ｎｏ）、ステップＳ５０８で図６の画面
を表示したまま顧客の入力待ちとなる。
【００５３】
以上説明した実施の形態によれば、複数回の試着時の全身像を、画面上で簡単に見比べ
ることができる。また、撮影した画像を自己のメールボックスに送信しておいたり、ホー
ムページにアップロードしておいたりすることで、後日、人の意見も聞きながら購入可否
をじっくり検討することができる。また、自宅のプリンタによる印刷出力も当然可能であ
る。
【００５４】
なお、上述した実施の形態では、単に撮影した画像に商品データ（価格など）を付加し
て表示するのみであるが、このほか商品の色のみを変えるなどの画像処理を加えてもよい
。同型で色違いの商品が複数あるような場合は、一点だけ試着すれば残りのものは着てみ
なくても、上記処理により試着イメージを容易に得ることができる。また、背景画像を任
意のものに差し替えられるようにしてもよい。
【００５５】
また、上述した実施の形態では、表示中の全身画像をそのままＰＯＰサーバ１０３やＦ
ＴＰサーバ１０４へ転送するようにしたが、このとき当該画像に、撮影場所となった店舗
の所在地や営業時間など、店舗の宣伝となる文言を差し込むようにしてもよい。言い換え
れば、ＣＣＤカメラ１０１ａ〜１０１ｄで取り込んだ複数の画像を一つに連結した上、表
示時には価格などの商品データ、転送時には住所などの店舗データを合成するようにする
。このように、転送する画像に店舗データを挿入することで、買わずに帰った顧客を再度
来店させる誘引効果・告知効果が期待できる。
【００５６】
なお、画像の転送先は上述のＰＯＰサーバ１０３やＦＴＰサーバ１０４に限らず、たと
えば携帯電話などであってもよい。この場合は情報収集装置１００に、インターネット接
続部３０５のほか携帯電話接続部を設け、無線または有線で接続された携帯電話との間で
ピアツーピア通信を行うようにする。これにより、顧客は撮影された全身像を自己の携帯
電話に気軽にダウンロードして、自宅などへ持ち帰ることができる。
【００５７】
また、図５のステップＳ５０２で情報収集装置１００からＰＣ１０２に商品データが送
出されると、ＰＣ１０２ではたとえば図８に示すようなアラート画面を表示する。これに
より、店舗側ではよく試着される人気商品や流行を特定でき、これを効果的なセールスに
結びつけることができる。
【００５８】
また、上述した実施の形態では商品データはバーコードに記録されるものとしたが、こ
のほかＩＣタグに記録することも可能である。この場合、図１や図２のバーコードリーダ
１００ａをＩＣタグリーダに置き換え、図３中の商品データ読み取り部３０１はＩＣタグ
リーダにより実現することになる。
【００５９】
なお、上述した実施の形態ではすべての顧客が試着写真の出力サービスを受けられるよ
うにしたが、たとえばメンバーズカードの会員に利用を限定するようにし、商品データの
ほか会員番号の入力（あるいは会員カードのカードリーダによる読み取り）を必須とする
ようにしてもよい。これにより、全体的な流行だけでなく、個々の会員がどんな商品に関
心を持っているかをピンポイントで把握することができる。なお、情報収集装置１００で
入力された会員データと商品データとは対応づけてＰＣ１０２に送信され、ＰＣ１０２が
保持している顧客基本情報ＤＢ（各会員の氏名や購入履歴などを保持）に試着情報として
蓄積される。
【００６０】
なお、上記実施の形態で説明した情報収集方法は、あらかじめ用意されたプログラムを
ＣＰＵ２０１で実行することにより実現される。このプログラムはＲＯＭ２０２のほか、
ハードディスク、フレキシブルディスク、ＣＤ−ＲＯＭ、ＭＯ、ＤＶＤ等のプロセッサで
読み取り可能な記録媒体に記録され、プロセッサによって記録媒体から読み出されること
によって実行される。またこのプログラムは、インターネット等のネットワークを介して
配布することが可能な伝送媒体であってもよい。
【産業上の利用可能性】
【００６１】
以上のように、本発明にかかる情報収集方法、情報収集プログラムおよび情報収集装置
は、商品の潜在的な販売可能性などを予測する用途に有効であり、特にその商品が、試着
室を備える店舗において販売される衣料品である場合に適している。
【図面の簡単な説明】
【００６２】
【図１】この発明の実施の形態にかかる情報収集装置を含む、情報収集システムの概観図を示す説明図である。
【図２】この発明の実施の形態にかかる情報収集装置１００のハードウエア構成を示す説明図である。
【図３】この発明の実施の形態にかかる情報収集装置１００の機能構成を示す説明図である。
【図４】画像合成部３０３による画像データの合成の様子を模式的に示す説明図である。
【図５】この発明の実施の形態にかかる情報収集装置１００における、情報収集処理の手順を示すフローチャートである。
【図６】ユーザーＩ／Ｆ部３００による合成後の画像データの表示の一例を示す説明図である。
【図７】ユーザーＩ／Ｆ部３００による合成後の画像データの表示の他の一例を示す説明図である。
【図８】ＰＣ１０２で表示されるアラート画面の一例を示す説明図である。
【符号の説明】
【００６３】
１００  情報収集装置
１００ａ  バーコードリーダ
１００ｂ  ディスプレイ
１０１ａ〜１０１ｄ  ＣＣＤカメラ
１０２  ＰＣ
１０３  ＰＯＰサーバ
１０４  ＦＴＰサーバ
２００  バス
２０１  ＣＰＵ
２０２  ＲＯＭ
２０３  ＲＡＭ
２０４  周辺機器Ｉ／Ｆ
２０５  ネットワークＩ／Ｆ
３００  ユーザーＩ／Ｆ部
３０１  商品データ読み取り部
３０２  撮影制御部
３０３  画像合成部
３０４  データ記憶部
３０５  インターネット接続部
【図１】
2005189918.tif 000003
【図２】
2005189918.tif 000004
【図３】
2005189918.tif 000005
【図４】
2005189918.tif 000006
【図５】
2005189918.tif 000007
【図６】
2005189918.tif 000008
【図７】
2005189918.tif 000009
【図８】
2005189918.tif 000010